(57)【特許請求の範囲】
【請求項１】
橋梁の上部構造と橋台との間に設けた連結装置を前記橋台に固定する固定構造であって、
前記橋台を支えるグラウンドアンカーと、
前記連結装置を前記橋台に固定するための取付部とを有し、
前記グラウンドアンカーのアンカー頭部を前記橋台に固定するための固定部に、前記取付部を固定したことを特徴とする固定構造。
【請求項２】
前記固定部が、
鋼材の厚板からなる支圧鋼板と、
前記アンカー頭部を固定する支圧板部と、前記グラウンドアンカーの延長方向と直交する角度で、前記支圧板部を前記支圧鋼板に取り付ける角度付き取付部とを有する支圧取付部材と、
からなることを特徴とする請求項１に記載の固定構造。
【請求項３】
前記連結装置が、免震装置または落橋防止構造の少なくともいずれか一方であることを特徴とする請求項１または２のいずれかに記載の固定構造。
【発明の詳細な説明】
【技術分野】
【０００１】
本発明は、橋梁の上部構造と橋台との間に設けた免震装置や落橋防止構造などの連結装置を、橋台に固定する固定構造に関する。
【背景技術】
【０００２】
一般に、道路橋の設計規準は、「道路橋示方書（以下、単に「示方書」という）」により定められており、地震発生時にも耐えられる道路橋の耐震設計に関する設計規準は、示方書の「耐震設計編」に記載されている。そして、この示方書の「耐震設計編」に記載された設計規準に基づいて設計された道路橋は、同書で想定内の地震が発生した場合には、限定的な損傷の範囲内となり、地震が収束した後にも利用することができる。
【０００３】
さて、２０１１年３月１１日に発生した東北地方太平洋沖地震は、それまで一般的に想定されていた震度（気象庁震度階級）及び規模を超えた大規模で強い地震であって、建物や道路橋などの多くの建造物に多大な被害を与えた。さらに、東北地方の太平洋沿岸を中心に大規模な津波が発生した。その結果、東北地方から関東地方にかけての東日本一帯には、地震と津波による甚大な被害がもたらされた（東日本大震災）。
【０００４】
示方書では、大規模な被害をもたらすレベル２地震動として、タイプＩの地震動とタイプＩＩの地震動が規定されている。タイプＩの地震動は、プレート境界に生じる海洋性の大規模な地震を想定したものである。東北地方太平洋沖地震は、このタイプＩの地震動に相当する。
【０００５】
示方書では、タイプＩの地震に対しては、例えば、鉄筋コンクリート橋脚では、ある程度の幅のひび割れが生じるような損傷度に抑えるように規定し、構造物の終局状態に対して十分な安全性を確保できるようにしている。それにより、地震発生後においても、橋梁を利用できる。
【０００６】
さて、この示方書は、東北地方太平洋沖地震の発生を受けて、翌年の２０１２年３月に改訂された。そして、その改訂後の示方書によれば、例えば、レベル２地震動のうちタイプＩ地震動（すなわち、東北地方太平洋沖地震と同じタイプの地震による地震動）に対する設計震度が大幅に大きくなった。
【０００７】
具体的には、例えば、改訂後の示方書ではＩ種地盤（岩盤など）における固有周期１秒の橋梁の設計震度が約１．０に改訂された。ここで、改訂前の示方書では、固有周期１秒の橋梁の設計震度は０．７であったから、改訂後の示方書では、改訂前に比べて、耐震基準における設計震度が大幅に大きくなっている。
【０００８】
そのため、旧示方書の耐震基準を満たしている橋梁や、旧示方書に基づいて耐震補強がなされた橋梁については、改訂後の示方書の設計震度を基準として考えると、大幅な耐力（強度）不足となり、したがって、今後、東北地方太平洋沖地震クラスの地震が発生すると、それらの橋梁は甚大な損傷を受ける可能性がある。
【０００９】
このような耐力不足の橋梁については、改訂後の示方書の設計震度に対応した耐震補強工事を適用することで、所要の耐力を確保することが可能である。この耐震補強工事の１つとしては、例えば、橋（橋梁）の上部構造（例えば、橋桁など）と下部構造（例えば、橋台や橋脚など）との間に免震装置や落橋防止構造（落橋防止システム）を設置する工事などがある。
なお、本発明においては、免震装置や落橋防止構造が、橋梁の上部構造と下部構造とを何らかの手段により連結していることから、これらを総称して、連結装置という。
【００１０】
図３（ａ）は、橋桁と橋台との間に、免震装置としてダンパー装置を設置した場合の耐震補強工事の施工例を示し、同図（ｂ）は、橋桁と橋台との間に、落橋防止構造（落橋防止システム）としてワイヤー型拘束装置を設置した場合の耐震補強工事の施工例を示し、同図（ｃ）は、図３（ａ），（ｂ）の耐震補強工事において、ダンパー装置あるいは落橋防止構造を橋台に取り付ける部分の構造の一例を示した図である。なお、図３（ａ），（ｂ）では、橋梁の下部構造として橋台を適用した場合を示している。また、図３（ｂ）において、図３（ａ）と同一部分または相当する部分には、同一符号を付している。
【００１１】
図３（ａ）に示した耐震補強工事では、橋梁の上部構造である橋桁１の下面にブラケット２を取り付け、橋梁の下部構造である橋台３の側面に取付板４を取り付け、ブラケット２の橋台３に対向する側面に設けた取付部２ａと、取付板４に設けた取付部４ａとに、ダンパー装置５の一方の取付部５ａと他方の取付部５ｂとを、それぞれ取り付けている。また、橋桁１の端部は、橋台３の桁かかり部３ａに設けた可動支承６で支持している。
【００１２】
図３（ｂ）に示した耐震補強工事では、橋台３の側面に設けた取付板４の取付部４ａに、ワイヤー７の一方の端部７ａを取り付け、このワイヤー７の他方の端部７ｂは、橋桁１の下部に設けた補強材１ｂに、取付具８を介して取り付けている。また、橋桁１の端部は、橋台３の桁かかり部３ａに設けた支承９で支持している。
【００１３】
そして、図３（ａ），（ｂ）に示した耐震補強工事において、取付板４を橋台３の側面に取り付ける取付構造ＢＢは、図３（ｃ）に示すように、橋台３の側面に複数の固定穴３ｃを穿孔し、この固定穴３ｃに所定量の接着剤ＧＬを注入した後に、それぞれの固定穴３ｃにアンカーボルトＢＡをおのおの挿入した構造を有する。このように、取付板４は、複数のアンカーボルトＢＡにより、橋台３の側面に取り付けられている。なお、アンカーボルトＢＡの頭部に設けたナットＢＫは、固定穴３ｃへのアンカーボルトＢＡの挿入長さを規定するためのものである。
【００１４】
この取付構造ＢＢにおいては、固定穴３ｃに注入した接着剤ＧＬが徐々に固まるにつれて体積が増え、固定穴３ｃの面に、外側へ押圧する力を作用するとともに、接着剤ＧＬの外周面と固定穴３ｃの面との間に付着力が作用する。そして、接着剤ＧＬが完全に固まると、アンカーボルトＢＡを芯とする接着剤ＧＬの塊の外周面が固定穴３ｃの面を押圧する力が十分な大きさとなり、その塊の外周面と、固定穴３ｃの面との間に作用する付着力及び摩擦力により、アンカーボルトＢＡが固定穴３ｃに固定されることで、取付板４が橋台３の側面に取り付けられる。このように、固定穴３ｃに注入した接着剤ＧＬによりアンカーボルトＢＡを固定穴３ｃに固定する固定構造は、一般に、「樹脂アンカー」と呼ばれている。
【００１５】
このように、樹脂アンカーを用いた取付構造ＢＢの標準的な施工例は、「既設橋梁の耐震補強工法事例集」（非特許文献１）に示されている。そして、その施工例では、固定穴３ｃの径Ｐは、アンカーボルトＢＡの径の寸法に１０ｍｍを加えた値に設定され、また、固定穴３ｃの穿孔方向の長さ寸法Ｌは、アンカーボルトＢＡの径の寸法を１５倍以上した長さに１０ｍｍを加えた値に設定されている。
【００１６】
また、この「既設橋梁の耐震補強工法事例集」で示された橋台への免震装置等の取付構造は、耐震補強工事の施工時に適用される標準的なものであり、したがって、耐震補強工事における橋台への免震装置等の取付構造としては、特別な場合を除いて、ほぼこの取付構造が採用されている。
【先行技術文献】
【非特許文献】
【００１７】
【非特許文献１】「既設橋梁の耐震補強工法事例集」、財団法人海洋架橋・橋梁調査会、平成１７年４月
【発明の概要】
【発明が解決しようとする課題】
【００１８】
さて、地震動が発生して橋梁が揺れると、橋桁１に様々な方向の力が作用し、その結果、橋軸方向の振動が橋桁１に作用する。この橋軸方向の振動のエネルギーは、図３（ａ）に示した免震装置では、ダンパー装置５の伸縮機構がその軸方向（橋軸方向）に沿った方向に伸縮する際に、その伸縮機構により消費される。
【００１９】
それにより、橋軸方向の橋桁１の揺れが小さく抑えられて、橋桁１が可動支承６や橋台３の桁かかり部３ａから脱落するような事態が生じず、その結果、地震動が除去された後にも、橋梁を利用することが可能となる。
【００２０】
また、図３（ｂ）に示した落橋防止構造では、橋桁１の移動は、ワイヤー７により拘束される。それにより、地震動により支承９が破壊された場合でも、橋桁１が桁かかり部３ａから脱落するなどの事態が回避されるので、地震動が除去された後には、橋梁を速やかに復旧させることができる。
【００２１】
一方、ダンパー装置５及びワイヤー７を橋台３に固定している取付板４は、上述したように複数のアンカーボルトＢＡで橋台３の側面に取り付けられている。そして、上述のように地震動が発生し、橋軸方向の振動が作用すると、取付板４を橋台３に固定しているアンカーボルトＢＡには、その軸方向の力、すなわち、アンカーボルトＢＡを固定穴３ｃに対して出し入れする方向の力が作用する。また、ダンパー装置５を用いている場合には、ダンパー装置５が橋軸方向に伸縮する際に作用する力も加わる。
【００２２】
ここで、固定穴３ｃに注入され固まった接着剤ＧＬが十分な付着強度を有し、アンカーボルトＢＡを芯とする接着剤ＧＬの塊の外周面と固定穴３ｃの面との間に作用する付着力及び摩擦力が、十分に大きい場合には、レベル２地震動が発生し、アンカーボルトＢＡを固定穴３ｃに対して出し入れする方向に大きな力が作用したとしても、アンカーボルトＢＡが固定穴３ｃに収まっており、取付板４は橋台３に固定された状態を維持する。
【００２３】
ところが、経年変化等の理由により、固定穴３ｃに注入され固まった接着剤ＧＬが劣化することで、その付着強度が小さくなった場合には、アンカーボルトＢＡを芯とする接着剤ＧＬの塊の外周面と固定穴３ｃの面との間に作用する付着力及び摩擦力も、小さくなる。
【００２４】
そのため、レベル２地震動が発生し、アンカーボルトＢＡを固定穴３ｃに対して出し入れする方向に大きな力が作用することで、アンカーボルトＢＡを固定穴３ｃから引き抜く方向へ大きな力が作用すると、アンカーボルトＢＡが固定穴３ｃから抜け出るという事態を生じる蓋然性があり、その場合、ダンパー装置５やワイヤー７が橋台３に固定されなくなるため、免震装置や落橋防止構造（を含む落橋防止システム）が当初の性能を発揮できないという不具合を生じるおそれがある。
【００２５】
特に、ダンパー装置５を用いている場合には、例えば、レベル２地震動により支承が破壊されなくても、軸方向に伸びた際、ダンパー装置５が橋台３を引き倒す方向へ力を作用するので、アンカーボルトＢＡを固定穴３ｃから引き抜く方向へ、より大きな力が作用し、そのため、上述した蓋然性が高くなる。
【００２６】
なお、このような樹脂アンカーを用いた固定構造に関連した不具合の例としては、２０１２年１２月２日に発生した「笹子トンネル天井板落下事故」がある。この事故の要因の一つとして、「天井板の荷重を接着剤のみで支えている構造（すなわち、樹脂アンカーを用いた固定構造を有する構造）」が示唆されていて、「トンネルの施工時から長い年月を経て接着剤が劣化し、そのために、構造が荷重に耐えられなくなって、天井板が落下した」という見解もある。
【００２７】
上述のように、取付板４を橋台３に固定している取付構造ＢＢも樹脂アンカーを用いている。そのため、耐震補強工事の施工時から長い年月を経た頃にレベル２地震動が発生すると、その時点では、固定穴３ｃに注入して固まった接着剤ＧＬが劣化している可能性があるため、「笹子トンネル天井板落下事故」と同様に、アンカーボルトＢＡが固定穴３ｃから抜け出るおそれがあると考えることができる。
【００２８】
この発明は、かかる実情に鑑みてなされたものであり、樹脂アンカーを使わずに、免震装置や落橋防止構造を橋台に取り付ける固定構造を提供することを目的とする。
【課題を解決するための手段】
【００２９】
この発明は、橋梁の上部構造と橋台との間に設けた連結装置を前記橋台に固定する固定構造であって、前記橋台を支えるグラウンドアンカーと、前記連結装置を前記橋台に固定するための取付部とを有し、前記グラウンドアンカーのアンカー頭部を前記橋台に固定するための固定部に、前記取付部を固定したことを特徴とする固定構造である。
また、前記固定部が、鋼材の厚板からなる支圧鋼板と、前記アンカー頭部を固定する支圧板部と、前記グラウンドアンカーの延長方向と直交する角度で、前記支圧板部を前記支圧鋼板に取り付ける角度付き取付部とを有する支圧取付部材とからなることを特徴とするものである。
また、前記連結装置が、免震装置または落橋防止構造の少なくともいずれか一方であることを特徴とするものである。
【発明の効果】
【００３０】
以上説明したように、本発明によれば、橋台を支えるグラウンドアンカーを橋台に固定する固定部に、連結装置を橋台に取り付ける取付部を取り付けているので、樹脂アンカーを用いずに、連結装置を橋台に固定することができる。効果の詳細は、後述する。
【図面の簡単な説明】
【００３１】
【図１】図１は、本発明の一実施例に係る固定構造を例示した概略構成図である。
【図２】図２（ａ）は、本発明の一実施例に係る固定構造の要部を説明するための概略正面図であり、同図（ｂ）は、本発明の一実施例に係る固定構造の要部を説明するための概略平面図である。
【図３】図３（ａ）は、橋桁と橋台との間に、免震装置としてダンパー装置を設置した場合の耐震補強工事の施工例を示し、同図（ｂ）は、橋桁と橋台との間に、落橋防止構造（落橋防止システム）としてワイヤー型拘束装置を設置した場合の耐震補強工事の施工例を示し、同図（ｃ）は、図３（ａ），（ｂ）の耐震補強工事において、ダンパー装置あるいは落橋防止構造を橋台に取り付ける部分の構造の一例を示した図である。
【発明を実施するための形態】
【００３２】
以下、添付図面を参照しながら、この発明の実施の形態を詳細に説明する。
〔実施例〕
図１は、本発明の一実施例に係る固定構造を例示した概略構成図であり、図２（ａ）は、本発明の一実施例に係る固定構造の要部を説明するための概略正面図であり、同図（ｂ）は、本発明の一実施例に係る固定構造の要部を説明するための概略平面図である。なお、図１及び図２（ａ），（ｂ）において、図３（ａ）と同一部分および相当する部分には、同一符号を付している。
【００３３】
図において、この実施例では、橋梁の上部構造である橋桁１と、橋梁の下部構造である橋台３との間に設けた連結装置として、ダンパー装置５を用いた免震装置を備え、橋桁１の端部は、橋台３の桁かかり部３ａに設けた可動支承６に支承されている。本実施例は、橋梁の耐震補強工事を、免震装置を用いて行った場合について説明している。
【００３４】
そして、ダンパー装置５の左右には（図２（ａ），（ｂ）参照）、橋台３が橋桁方向に倒れることを防止するため、橋台３を支えるグラウンドアンカー（「アースアンカー」ともいう）１００，２００を設けており、ダンパー装置５の橋台側の取付部５ｂを橋台３に取り付けるための取付部３００と、グラウンドアンカー１００，２００のアンカー頭部１００ａ，２００ａを橋台３にそれぞれ固定する固定部１００ｂ，２００ｂとを、鋼材の厚板からなる支圧鋼板４００におのおの取り付けている。
【００３５】
取付部３００は、鋼材からなる略正方形の板材３１０と、この板材３１０の表面に直立するように取り付けられて、ダンパー装置５の取付部５ｂを両側から挟み込んで固定する固定板３００ａ，３００ｂとから構成されており、固定板３００ａ，３００ｂには、取付部５ｂの係合穴（図示略）に挿入される係合ピン３２０が挿通される取付穴（図示略）が形成されている。この係合ピン３２０により、ダンパー装置５の取付部５ｂが、固定板３００ａ，３００ｂを介して、板材３１０に固定される。ここで、この板材３１０が、支圧鋼板４００に取り付けられているから、ダンパー装置５の橋台側の取付部５ｂは、固定板３００ａ，３００ｂ、及び、板材３１０を介して、支圧鋼板４００に固定される。
【００３６】
固定部１００ｂは、グラウンドアンカー１００の頭部１００ａを固定するための支圧板（支圧板部）１１０と、この支圧板１１０を、グラウンドアンカー１００の延長方向と直交する面と平行に保持して支圧鋼板４００に取り付けるための、一対の角度付き板材（角度付き取付部）１１１，１１２とから構成されている。
【００３７】
同様に、固定部２００ｂは、アンカー２００の頭部２００ａを固定するための支圧板２１０と、この支圧板２１０を、アンカー２００の延長方向と直交する面と平行に保持して支圧鋼板４００に取り付けるための、一対の角度付き板材２１１，２１２とから構成されている。
【００３８】
また、支圧鋼板４００には、ダンパー装置５を通して引っ張り力が作用した際に板材３１０に作用する力により、支圧鋼板４００が変形することを防止するための補剛材４１０，４２０が設けられている。なお、図１及び図２（ｂ）に示すように、支圧鋼板４００と橋台３との間には、支圧鋼板４００の防食等のためにクッション材（フィラー材；詰め物材）４５０を設けることが望ましい。このクッション材４５０の材質としては、例えば、水分が浸透せず、かつ、耐候性に優れている炭素繊維などの適宜なものを用いることができる。
【００３９】
グラウンドアンカー１００は、橋台３及び橋台３の背面の地盤ＫＡを貫通し、地盤ＫＡよりも堅固な材質からなる地盤ＫＢに届く削孔ＨＨ内に設けられる。グラウンドアンカー１００の先端には、アンカー体１３０が設けられて、地盤ＫＢに定着される。また、アンカー体１３０からは、引っ張り部であるテンドン１４０が伸びて、アンカー頭部１００ａで支圧板１１０に定着されている。このテンドン１４０は、アンカー頭部１００ａからの引っ張り力をアンカー体１３０に伝達する部分であり、アンカー頭部１００ａには、テンドン１４０の端部を支圧板１１０に定着するための定着具（図示略）が設けられる。
【００４０】
ここで、アンカー体１３０は、グラウンドアンカー１００の引っ張り力を地盤ＫＢに直接伝達する部分であり、設置される地盤ＫＢとしては、上述のように岩盤等の堅固な材質であることが好ましい。このアンカー体１３０としては、セメントなどのグラウトを削孔ＨＨに注入することで造成されることが多く、テンドン１４０としては、ＰＣ鋼線、ＰＣ鋼より線、多重ＰＣ鋼より線、及び、連続繊維補強材等が用いられる。また、通常、テンドン１４０は、防食のためにシース材等（図示略）により被覆されており、アンカー頭部１００ａには、防食等のために防錆剤等が封入されることが多い。
【００４１】
削孔ＨＨは、橋台３におけるダンパー装置５の取付位置から、固い地盤ＫＢまで削孔機で穿孔することにより形成され、その俯角の大きさは、橋台３における削孔ＨＨの開口部の高さと、その開口部から地盤ＫＢにおけるアンカー体１３０の定着位置までの距離に応じて定まる。そして、角度付き板材１１１，１１２，２１１，２１２は、この削孔ＨＨの延長方向と直交する方向と平行な傾斜角の斜辺を有する台形の平面形状を有する。なお、この角度付き板材１１１，１１２，２１１，２１２の平面形状は、上述した台形と同様の斜辺を有する三角形又は多角形であってもよい。
【００４２】
また、支圧鋼板４００、補剛材４１０，４２０、板材３１０、支持板３１０ａ，３１０ｂ、角度付き板材１１１，１１２，２１１，２１２、支圧板１１０，２１０は、それぞれ適切な材質で適切な厚さの鋼板で形成されていて、これらの鋼板同士の取り付けや固定は、適切な方法を適用した溶接で実施することができる。これにより、これらの鋼板の取り付けや固定が強固なものとなる。
【００４３】
このようにして、本実施例では、橋台３を支えるためのグラウンドアンカー１００，２００のアンカー頭部１００ａ，２００ａを橋台３に取り付けるための支圧鋼板４００に、ダンパー装置５の一方の取付部５ｂを橋台３に取り付けるための板材３１０を固定している。
【００４４】
したがって、この支圧鋼板４００は、グラウンドアンカー１００，２００を橋台３に取り付ける部材と、ダンパー装置５を橋台３に取り付ける部材とを兼用しており、ダンパー装置５が伸びて橋台３を橋桁１の方向へ引き倒す力が作用したとき、その力は、グラウンドアンカー１００，２００の引っ張り力によって引き止められ、その結果、橋台３が傾くような事態を回避することができる。
【００４５】
ここで、ダンパー装置５が大きく伸縮する事態を生じるのは、例えば、上述したレベル２地震動のような地震動が発生したときであるから、本実施例によれば、レベル２地震動が発生したときのダンパー装置５の挙動により、ダンパー装置５を橋台３に取り付けている取付部３００が橋台から外れることで、橋梁が使えなくなる等の不具合が生じることを防止できる。
【００４６】
すなわち、本実施例では、樹脂アンカーを用いなくても、ダンパー装置５を橋台３に適切に取り付けることができる。したがって、施工時から長い年月を経た頃にレベル２地震動が発生したとしても、ダンパー装置５を橋台３に取り付けている構造が破損し、橋梁を使えなくなるという、樹脂アンカーを用いた固定構造で生じるような不具合を生じることがない。
【００４７】
また、周知のように、グラウンドアンカー１００，２００は、地震発生時に橋台３が転倒したり滑動することを防止するから、本実施例の固定構造を備えることで、橋梁の耐震補強をより効果的に行うことができる。
【００４８】
ところで、上述した実施例では、橋梁の耐震補強工事の際に、橋梁の上部構造と橋台との間に設けた連結装置として、ダンパー装置５を用いた場合を説明したが、ダンパー装置以外の免震装置を設けた場合でも、本発明を同様にして適用することができる。また、本発明は、免震装置のみならず、上述したような落橋防止構造を、橋梁の耐震補強工事の際に設置した橋梁についても同様に適用することができる。
【００４９】
また、上述した実施例では、角度付き取付部として角度付き板材１１１，１１２，２１１，２１２を用いているが、この角度付き取付部としては、それ以外にも、例えば、断面形状が角度付き板材１１１，１１２，２１１，２１２の平面形状と同様の形状を有するコンクリートブロックや角度調整部材等、アンカー頭部を、グラウンドアンカー１００，２００の延長方向と直交する面と平行になるように支持するために、通常用いられている適宜な部材等を用いることができる。
【００５０】
また、支圧板部と角度付き取付部とからなる支圧取付部材を１つの部材で構成することもできる。例えば、鋼板の両端部を角度付き取付部に対応した角度に成型するとともに両端部を折り曲げ、その両端部を支圧鋼板４００に固定した際に、支圧板部となる中央の平面が、グラウンドアンカー１００，２００の延長方向と直交する面と平行になるようにするとよい。
【００５１】
また、以上述べてきた各実施形態の構成及び変形例は、矛盾しない範囲で適宜組み合わせて適用することも可能である。例えば、橋梁の耐震補強工事の際に、免震装置と落橋防止構造とを共に設けた橋梁についても、本発明を同様にして適用できる。
【産業上の利用可能性】
【００５２】
本発明は、橋梁の上部構造と橋台との間に設けた連結装置を橋台に固定する場合の固定構造であれば、どのような種類の連結装置についても適用することができる。
【符号の説明】
【００５３】
１  橋桁
３  橋台
５  ダンパー装置
１００，２００  グラウンドアンカー（アースアンカー）
１００ａ，２００ａ  アンカー頭部
１００ｂ，２００ｂ  固定部
１１０，２１０  支圧板
１１１，１１２，２１１，２１２  角度付き板材
３００  取付部
３１０  板材
４００  支圧鋼板
４１０，４２０  補剛材
【要約】
【課題】樹脂アンカーを使わずに、免震装置や落橋防止構造を橋台に取り付ける固定構造を提供することを目的とする。
【解決手段】橋台３を支えるためのグラウンドアンカー１００のアンカー頭部１００ａを橋台３に取り付けるための支圧鋼板４００に、ダンパー装置５の一方の取付部５ｂを橋台３に取り付けるための板材３１０を固定している。
したがって、この支圧鋼板４００は、グラウンドアンカー１００を橋台３に取り付ける部材と、ダンパー装置５を橋台３に取り付ける部材とを兼用しており、ダンパー装置５が伸びて橋台３を橋桁１の方向へ引き倒す力を作用したとき、その力は、グラウンドアンカー１００の引っ張り力によって引き止められ、その結果、橋台３が傾くような事態を回避することができる。また、グラウンドアンカー１００が、レベル２地震動による橋台３の転倒や滑動を防止するので、橋梁の耐震補強をより効果的に実現できる。
【選択図】        図１【図２】
0005389293.tif 000002
【図３】
0005389293.tif 000003
【図１】
0005389293.tif 000004